(57)【要約】【課題】電子レンジで加熱調理して庫内から取り出す際に、熱くない状態で持つことで安心して取り出すことができるウェッブコーナー型紙容器を提供すること。【解決手段】後側板３にはその上辺に蓋板６が連設され、前側板２にはその上辺にフラップ７が連設されており、左側板４と右側板５にはその上辺に把手板８，９がそれぞれ連設され、それらの把手板８，９には二つ折りするための折り線が形成されている。使用時には、左右の把手板８，９を外側に露出させた状態で蓋をし、その露出した把手板８，９をそれぞれ二つ折りにして先端を蓋板６の側辺に係止させて持ち手とする。【選択図】図３
2015024851.tif 000002
【特許請求の範囲】
【請求項１】
矩形状の底板における前後左右の辺に折り線を介して前側板、後側板、左側板、右側板がそれぞれ連設されており、それらの各側板には両側辺に折り線を介して三角形状の折込み片がそれぞれ連設され、隣接する折込み片どうしが底板の隅から外方に向けて延びる放射状の折り線を介して連結されてウェッブコーナー部を形成しており、後側板にはその上辺に折り線を介して蓋板が連設され、前側板にはその上辺に折り線を介してフラップが連設されており、左側板と右側板にはその上辺に折り線を介して把手板がそれぞれ連設され、それらの把手板には二つ折りするための折り線が形成されており、各ウェッブコーナー部を外側に折り込んだ状態で側板の外側に貼り合わせることで箱形状としてから、左右の把手板をそれぞれ内側に折り曲げた状態で、フラップを内側に折り曲げ、その上から蓋板を被せることで蓋をする構造になっており、使用時には、左右の把手板を外側に露出させた状態で蓋をし、その露出した把手板をそれぞれ二つ折りにして先端を蓋板の側辺に係止させて持ち手とすることを特徴とするウェッブコーナー型紙容器。
【発明の詳細な説明】
【技術分野】
【０００１】
本発明は、板紙からなる紙容器の技術分野に属し、詳しくは、四隅を外側に折り込んで側板の外面に貼り合わせて固定した構造を有するウェッブコーナー型紙容器に関するものである。
【背景技術】
【０００２】
ウェッブコーナー型紙容器と呼ばれる包装容器は、従来から世間一般で広く使用されており、この紙容器の本体は、四隅を外側に折り込んで側板の外面に貼り合わせた構造になっているため、液漏れを防止する効果があることから、特に調味料や油が付着した食品や煮汁の出る食品などを入れるのに適している。
【０００３】
このウェッブコーナー型紙容器を大きく分けると、蓋なしで天面が解放したタイプのものと、本体と蓋が一体になっていて容器を閉じることができるタイプの２通りがあり、後者の蓋付きのウェッブコーナー型紙容器は、電子レンジ調理用の食品を入れる紙容器として好適に利用されている。
【０００４】
そして、現在、この用途で市場に出回っている蓋付きのウェッブコーナー型紙容器としては、特許文献１に記載されている紙容器のように、１枚の大きな蓋板を差し込んで閉じるものや、特許文献２，３に記載されている紙容器のように、２枚の蓋板をクロスさせたり切込みに差し込んで閉じるものが主流である。
【先行技術文献】
【特許文献】
【０００５】
【特許文献１】特開２００７−１４５３９２号公報
【特許文献２】特開２００８−６８８８５号公報
【特許文献３】実用新案登録第３１７６８５２号公報
【発明の概要】
【発明が解決しようとする課題】
【０００６】
上記したような蓋付きのウェッブコーナー型紙容器は、食材を入れて電子レンジ内で加熱調理する場合、加熱後に電子レンジの庫内から取り出す際に、側板あるいはウェッブコーナー部のいずれかを持つことになるが、折り返し部分のあるウェッブコーナー部を持つと容器が持ちにくく、手がはみ出た場合に熱が伝わって熱くて持ちにくいため、安心して取り出すことができないという問題がある。
【０００７】
本発明は、このような事情に鑑みてなされたものであり、その目的とするところは、電子レンジで加熱調理して庫内から取り出す際に、熱くない状態で持つことで安心して取り出すことができるウェッブコーナー型紙容器を提供することにある。
【課題を解決するための手段】
【０００８】
上記の目的を達成するため、本発明のウェッブコーナー型紙容器は、矩形状の底板における前後左右の辺に折り線を介して前側板、後側板、左側板、右側板がそれぞれ連設されており、それらの各側板には両側辺に折り線を介して三角形状の折込み片がそれぞれ連設され、隣接する折込み片どうしが底板の隅から外方に向けて延びる放射状の折り線を介して連結されてウェッブコーナー部を形成しており、後側板にはその上辺に折り線を介して蓋板が連設され、前側板にはその上辺に折り線を介してフラップが連設されており、左側板と右側板にはその上辺に折り線を介して把手板がそれぞれ連設され、それらの把手板には二つ折りするための折り線が形成されており、各ウェッブコーナー部を外側に折り込んだ状態で側板の外側に貼り合わせることで箱形状としてから、左右の把手板をそれぞれ内側に折り曲げた状態で、フラップを内側に折り曲げ、その上から蓋板を被せることで蓋をする構造になっており、使用時には、左右の把手板を外側に露出させた状態で蓋をし、その露出した把手板をそれぞれ二つ折りにして先端を蓋板の側辺に係止させて持ち手とすることを特徴としている。
【発明の効果】
【０００９】
本発明のウェッブコーナー型紙容器は、加熱調理に際して組み立てると、二つ折りとした把手板が持ち手となり、この容器内の熱が直接伝わらない二つ折りの部分を持って電子レンジへの出し入れを行えることから、加熱調理した後の容器を安心して庫内から取り出すことができ、さらに、二つ折りとした把手板が蓋板の浮き上がりを止めるため、加熱調理に求められる蒸らし効果を損なうこともない。
【図面の簡単な説明】
【００１０】
【図１】本発明に係るウェッブコーナー型紙容器の一例を示す斜視図である。
【図２】図１のウェッブコーナー型紙容器を組み立てるブランクの展開図である。
【図３】図２のブランクからウェッブコーナー型紙容器を組み立てる途中の状態を示す斜視図である。
【図４】図２のブランクを組み立てたウェッブコーナー型紙容器を使用時の状態で示す斜視図である。
【図５】本発明に係るウェッブコーナー型紙容器の変形例を示す斜視図である。
【図６】図５のウェッブコーナー型紙容器を組み立てるブランクの展開図である。
【図７】図５のブランクからウェッブコーナー型紙容器を組み立てる途中の状態を示す斜視図である。
【図８】図５のブランクを組み立てたウェッブコーナー型紙容器を使用時の状態で示す斜視図である。
【図９】図５のブランクを組み立てたウェッブコーナー型紙容器を別の使用時の状態で示す斜視図である。
【図１０】図９の一部を拡大して示す断面図である。
【発明を実施するための形態】
【００１１】
次に、本発明の実施形態について図面を参照しながら詳細に説明する。
【００１２】
図１は本発明に係るウェッブコーナー型紙容器の一例を示す斜視図であり、このウェッブコーナー型紙容器は図２にその展開図を示すブランクを組み立てて形成される。
【００１３】
図２のブランクは、全面に樹脂フィルムを貼り合わせた板紙を原反とし、その原反に多面付け状態で所定の印刷を施したものを打ち抜いて作成されたものであり、図示のように、長方形の底板１における前後左右に折り線ａ〜ｄを介して前側板２、後側板３、左側板４、右側板５がそれぞれ連設されており、それらの各側板２〜５には両側辺に折り線ｅを介して三角形状の折込み片２ａ〜５ａがそれぞれ連設され、隣接する折込み片どうしが底板の隅から外方に向けて延びる放射線の折り線ｆを介して連結されてウェッブコーナー部Ｗを形成している。
【００１４】
そして、後側板３にはその上辺に折り線ｇを介して蓋板６が連設され、前側板２にはその上辺に折り線ｈを介してフラップ７が連設されており、蓋板６には先端中央部に折り線ｉを介して係止片６ａが突設され、フラップ７を連設する折り線ｈの中央部にこの係止片６ａを差し込むための切込みαが設けられている。また、係止片６ａの折り線ｉは折曲げを容易とするための切込みβを有しており、蓋板６の左右両側辺には切欠き６ｂが形成されている。
【００１５】
左側板４と右側板５にはその上辺に折り線ｊを介して把手板８，９がそれぞれ連設され、それらの把手板８，９には二つ折りするための折り線ｋが形成されており、さらに把手板８，９の先端には折り線ｌを介して係止用の差込み片８ａ，９ａがそれぞれ突設されている。この例では、差込み片８ａ，９ａの根元にＶ字状の切欠きを形成してあり、使用時にはこれらの差込み片８ａ，９ａが前記した蓋板６の左右両側辺にある切欠き６ｂとそれぞれ係合するようになっている。
【００１６】
また、このブランクでは、前側板２と後側板３の中ほどに撓み防止用として縦方向の押し罫を３本形成してある。なお、各折り線ａ〜ｌは、基本的には押し罫で形成すればよいが、蓋板６の折り線ｇ、フラップ７の折り線ｈ、把手板８，９の折り線ｊ、把手板８，９を二つ折りするための折り線ｋ、差込み片８ａ，９ａの折り線ｌについては、ブランクの設計時に当該折り線部分の折曲げやすさを考慮して、１）押罫の途中に切込みのある所謂リード罫、２）ピッチの大きなミシン目、３）ピッチの小さなミシン目、などを適宜採用してもよい。
【００１７】
図２のブランクを組み立てるには、まず、底板１に対して各側板２〜５を起立させるとともに、それと同時に折込み片２ａ〜５ａを外側に引き出して折り込むことでウェッブコーナー部Ｗを形成し、このウェッブコーナー部Ｗを折り込んだ状態で左側板４と右側板５の外側に貼り合わせることで図３に示すような箱形状とする。このようにブランクを組み立てた状態では、板紙の曲げに対する反発力により上方開口は外方に少しだけ湾曲して広がった状態になっている。そして、この図３に示す組立状態のものを複数スタックして充填工程に供給する。
【００１８】
充填工程では、図３に示す状態のものに上方から内容物を投入した後、左右の把手板８，９をそれぞれ内側に折り込んだ状態とし、フラップ７を内側に折り曲げてから蓋板６を被せるように折り曲げ、蓋板６の先端にある係止片６ａを折り曲げてフラップ７の根元にある切込みαに差し込むことで、図１に示すように蓋板６により蓋をする。
【００１９】
そして、図１のウェッブコーナー型紙容器は、最終的には必要に応じてシュリンクフィルムが掛けられて商品となる。内容物としては、電子レンジにより加熱調理される食材や調味料などがあり、これらを収納したものが商品として店頭で販売される。
【００２０】
電子レンジで加熱調理するにあたっては、蓋板６を開けるとともに左右の把手板８，９を広げて容器内部の調味料や食材を取り出す。そして、取り出した調味料等を食材（調味料のみを収納してある場合は食材は別途用意する）とともに容器に入れた後、左右の把手板８，９を外側に露出させたまま、フラップ７を内側に折り曲げ、その上から蓋板６を被せることで蓋をしてから、図４に示すように、左右の把手板８，９をそれぞれ内向きに二つ折りし、その先端にある差込み片８ａ，９ａを蓋板６の左右両端の切欠き６ｂによる隙間に差し込む。このように、二つ折りした左右の把手板８，９の先端にある差込み片８ａ，９ａを蓋板６の側辺に係止させることにより、蓋板６の浮き上がりが止められるとともに、二つ折りした左右の把手板８，９が持ち手の役目を果たすことになる。
【００２１】
図１のウェッブコーナー型紙容器は、図４に示す使用形態としてから、電子レンジに入れて加熱調理する。このとき、容器全体の高さはそれほど高くはないので庫内への出し入れがしにくいということはない。そして、加熱調理して蒸気が発生すると、二つ折りとした左右の把手板８，９が蓋板６の浮き上がりを抑制するため、レンジ容器に求められる蒸らし効果を損なうことがない。さらに、加熱調理後、二つ折りとした左右の把手板８，９が持ち手となるため、この熱が直接伝わらない二つ折りの部分を持つことで安心して庫内から取り出すことができる。
【００２２】
図５は本発明に係るウェッブコーナー型紙容器の変形例を示す斜視図であり、このウェッブコーナー型紙容器は図６にその展開図を示すブランクを組み立てて形成される。この図６に示すブランクは、図２のブランクと略同じ形状であるので、構成が同じ部分には同じ符号を付してその説明を省略する。
【００２３】
図５のウェッブコーナー型紙容器は、図１に示したウェッブコーナー型紙容器において左右の把手板８，９の係止手段を替えたものである。すなわち、図６のブランクでは、把手板８，９の先端に、差込み片８ａ，９ａを突設するのに替え、折り線ｌを介して延長片１０，１１をそれぞれ設けてあり、その折り線ｌの中央部にコの字状の切込みγを形成することで、延長片１０，１１の折曲げ時に把手板８，９の先端にそれぞれ凸部ができるようにしている。そして、蓋板６の両側辺にはこの凸部に対応するサイズの切欠き６ｃを形成してある。
【００２４】
図６のブランクの組み立て方も図２のブランクの場合と同様であり、同じ手順でウェッブコーナー部Ｗを形成し、このウェッブコーナー部Ｗを折り込んだ状態で左側板４と右側板５の外側に貼り合わせることで図７に示すような箱形状とする。そして、この図７に示す組立状態のものを複数スタックして充填工程に供給する。
【００２５】
充填工程では、図７に示す状態のものに上方から内容物を投入した後、左右の把手板８，９をそれぞれ内側に折り込んだ状態とし、フラップ７を内側に折り曲げてから蓋板６を被せるように折り曲げ、蓋板６の先端にある係止片６ａを折り曲げてフラップ７の根元にある切込みαに差し込むことで、図５に示すように蓋板６により蓋をする。
【００２６】
電子レンジで加熱調理するにあたっては、蓋板６を開けるとともに左右の把手板８，９を広げて容器内部の調味料や食材を取り出す。そして、取り出した調味料等を食材（調味料のみを収納してある場合は食材は別途用意する）とともに容器に入れた後、左右の把手板８，９を外側に露出させたまま、フラップ７を内側に折り曲げ、その上から蓋板６を被せることで蓋をしてから、図８に示すように、左右の把手板８，９をそれぞれ内向きに二つ折りし、その先端にある延長片１０，１１を外折りして、切込みγによる凸部を蓋板６の左右両端の切欠き６ｃによる隙間に差し込む。このように、二つ折りした左右の把手板８，９の先端にある延長片１０，１１を外折りした状態で、切込みγによる凸部を蓋板６の側辺に係止させることにより、蓋板６の浮き上がりが止められるとともに、二つ折り状態とした左右の把手板８，９が持ち手の役目を果たすことになる。
【００２７】
図５のウェッブコーナー型紙容器は、図８に示す使用形態としてから、電子レンジに入れて加熱調理する。このとき、容器全体の高さはそれほど高くはないので庫内への出し入れがしにくいということはない。そして、加熱調理して蒸気が発生すると、二つ折りとした左右の把手板８，９とその延長片１０，１１とが蓋板６の浮き上がりを抑制するため、レンジ容器に求められる蒸らし効果を損なうことがない。さらに、加熱調理後、二つ折りとした左右の把手板８，９が持ち手となるため、この熱が直接伝わらない二つ折りの部分を持つことで安心して庫内から取り出すことができる。
【００２８】
また、図５のウェッブコーナー型紙容器は、図９に示すような使用形態にすることもできる。この場合、手順としては、調味料等を食材とともに容器に入れた後、左右の把手板８，９を外側に露出させたまま、フラップ７を内側に折り曲げ、その上から蓋板６を被せることで蓋をするまでは同じであるが、その後、左右の把手板の先端にある延長片１０，１１を内側に折り返し、この延長片１０，１１を折り込んだ状態で左右の把手板８，９をそれぞれ内向きに二つ折りし、切込みγによる凸部を蓋板６の左右両端の切欠き６ｃによる隙間に差し込む。このように、延長片１０，１１を折り込んで把手板８，９を二つ折りした状態で、切込みγによる凸部を蓋板６の側辺に係止させることにより、蓋板６の浮き上がりが止められるとともに、二つ折りとした左右の把手板８，９が持ち手の役目を果たすことになる。
【００２９】
このようにして図９の使用状態としたウェッブコーナー型紙容器は、加熱調理して蒸気が発生すると、二つ折りとした左右の把手板８，９とその延長片１０，１１が蓋板６の浮き上がりを抑制するため、レンジ容器に求められる蒸らし効果を損なうことがない。さらに、加熱調理後、二つ折りとした左右の把手板８，９が持ち手となるため、この熱が直接伝わらない部分を持つことで安心して庫内から取り出すことができる。このとき、図１０を参照すれば分かるように、把手板８，９は延長片１０，１１を折り込んで二つ折りしているため、加熱調理時に発生する蒸気が把手板８，９の中に入るのが防止されるので熱くなることがない。
【００３０】
以上、２つの例を挙げて、本発明の実施の形態を詳細に説明してきたが、本発明によるウェッブコーナー型紙容器は、上記実施の形態に何ら限定されるものではなく、本発明の趣旨を逸脱しない範囲において種々の変更が可能であることは当然のことである。
【００３１】
例えば、上記の例では、容器の素材として、全面に樹脂フィルムを貼り合わせた板紙を使用したが、紙器用の板紙に、必要に応じて、ポリプロピレン、ポリエチレン、ポリエチレンテレフタレート、ポリブチレンテレフタレートなどの樹脂フィルムを適宜積層した板紙を使用すればよい。また、板紙の代わりに、細かい波形（マイクロフルート）の段ボールシートを使用することも可能である。
【００３２】
また、上記の例では、容器の全体形状を長方形とし、ウェッブコーナー部を短辺側に貼り合わせたが、全体形状については、矩形状であれば正方形でも構わないものであるし、ウェッブコーナー部については、容器設計に応じて短辺側と長辺側のいずれに貼り合わせるかを決めればよいことである。
【産業上の利用可能性】
【００３３】
本発明のウェッブコーナー型紙容器は、電子レンジ調理用の食品を入れるのに使用するのが好適である。そして、袋入りの食材をその袋から出して調理するタイプの商品のほか、調味料だけを入れておき、別に用意する卵、豆腐、肉類などの食材と合わせて加熱調理するようなタイプの商品にも好適である。
【符号の説明】
【００３４】
１  底板
２  前側板
２ａ  折込み片
３  後側板
３ａ  折込み片
４  左側板
４ａ  折込み片
５  右側板
５ａ  折込み片
６  蓋板
６ａ  係止片
６ｂ，６ｃ  切欠き
７  フラップ
８，９  把手板
８ａ，９ａ  差込み片
１０，１１  延長片
Ｗ  ウェッブコーナー部
ａ〜ｌ  折り線
α，β，γ  切込み
【図１】
2015024851.tif 000003
【図２】
2015024851.tif 000004
【図３】
2015024851.tif 000005
【図４】
2015024851.tif 000006
【図５】
2015024851.tif 000007
【図６】
2015024851.tif 000008
【図７】
2015024851.tif 000009
【図８】
2015024851.tif 000010
【図９】
2015024851.tif 000011
【図１０】
2015024851.tif 000012